(57)【要約】  【課題】ユーザが番組コンテンツと独立に映像広告だけを見たり、見たい映像広告だけを取捨選択して視聴することを可能にすること、および、映像広告提供者が、興味を持っているユーザだけに即時性を持って広告を提供すること。  【解決手段】提供情報の配信を行う配信サーバと、ユーザの嗜好ジャンルと検索条件を蓄積しておき、コンテンツの変更を契機として上記のユーザの嗜好ジャンルと検索条件に基づいて検索し、適合するものをユーザに通知する情報検索自動通知サーバをネットワークによりユーザと接続して、上記目的に合う情報自動通知サービス方法を実現した。【選択図】  図２
2005208751.tif 000002
【特許請求の範囲】
【請求項１】
ユーザ嗜好に合う商品ＣＭ映像情報自動通知サービス方法であって、
通信ネットワークと、該通信ネットワークに接続されるクライアント端末装置と、商品ＣＭ映像情報の新規登録，変更，削除の管理を行い、ユーザの嗜好ジャンルおよび／または希望条件を管理し、ユーザへの商品ＣＭ映像情報の自動通知を行い、商品ＣＭ映像情報を検索する情報検索自動通知サーバと、商品ＣＭ映像情報および／またはコンテンツを配信するコンテンツ配信サーバとを有して構成される商品ＣＭ映像情報自動通知システムに適用され、
前記クライアント端末装置が、ユーザの嗜好ジャンルおよび／または検索条件並びに通知受信のための条件としての通知予約情報を前記情報検索自動通知サーバに送信する手順と、
前記情報検索自動通知サーバが、前記クライアント端末装置から送信される嗜好ジャンルおよび／または検索条件並びに通知予約情報を受信し、ユーザ毎に関連付けられているデータ領域に蓄積する手順と、
前記情報検索自動通知サーバが、前記嗜好ジャンルをパラメータとして検索を行い、該検索に適合した商品ＣＭ映像情報を前記通知予約情報に基づいた処理を行い、前記クライアント端末装置に通知する手順と、
前記クライアント端末装置が、前記商品ＣＭ映像情報を受信し、画面上に該商品ＣＭ映像情報および視聴の意志確認を表示し、視聴を肯定するための表示情報を選択することにより、前記通信ネットワークを経由した商品ＣＭ映像情報を視聴するための視聴要求を前記コンテンツ配信サーバに送信する手順と
を有することを特徴とする商品ＣＭ映像情報自動通知サービス方法。
【請求項２】
ユーザ嗜好に合う映画予告編情報自動通知サービス方法であって、
通信ネットワークと、該通信ネットワークに接続されるクライアント端末装置と、映画予告編情報の新規登録，変更，削除の管理を行い、ユーザの嗜好ジャンルおよび／または希望条件を管理し、ユーザへの映画予告編情報の自動通知を行い、映画予告編情報を検索する情報検索自動通知サーバと、映画予告編情報および／またはコンテンツを配信するコンテンツ配信サーバとを有して構成される映画予告編情報自動通知システムに適用され、
前記クライアント端末装置が、ユーザの嗜好ジャンルおよび／または検索条件並びに通知受信のための条件としての通知予約情報を前記情報検索自動通知サーバに送信する手順と、
前記情報検索自動通知サーバが、前記クライアント端末装置から送信される嗜好ジャンルおよび／または検索条件並びに通知予約情報を受信し、ユーザ毎に関連付けられているデータ領域に蓄積する手順と、
前記情報検索自動通知サーバが、前記嗜好ジャンルをパラメータとして検索を行い、該検索に適合した映画予告編情報を前記通知予約情報に基づいた処理を行い、前記クライアント端末装置に通知する手順と、
前記クライアント端末装置が、前記適合した映画予告編情報を受信し、画面上に該映画予告編情報および視聴の意志確認を表示し、視聴を肯定するための表示情報を選択することにより、前記通信ネットワークを経由した映画予告編情報を視聴するための視聴要求を前記コンテンツ配信サーバに送信する手順と
を有することを特徴とする映画予告編情報自動通知サービス方法。
【請求項３】
ユーザ嗜好に合うビデオ・コンテンツの入荷状況自動通知サービス方法であって、
通信ネットワークと、該通信ネットワークに接続されるクライアント端末装置と、ビデオ・コンテンツの新規登録，変更，削除の管理を行い、ユーザの嗜好ジャンルおよび／または希望条件を管理し、ユーザへのビデオ・コンテンツの入荷情報の自動通知を行い、ビデオ・コンテンツ情報を検索する情報検索自動通知サーバと、ビデオ・コンテンツを配信するコンテンツ配信サーバとを有して構成されるビデオ・コンテンツの入荷状況自動通知システムに適用され、
前記クライアント端末装置が、ユーザの嗜好ジャンルおよび／または検索条件並びに通知受信のための条件としての通知予約情報を前記情報検索自動通知サーバに送信する手順と、
前記情報検索自動通知サーバが、前記クライアント端末装置から送信される嗜好ジャンルおよび／または検索条件並びに通知予約情報を受信し、ユーザ毎に関連付けられているデータ領域に蓄積する手順と、
前記情報検索自動通知サーバが、前記嗜好ジャンルをパラメータとして検索を行い、該検索に適合したビデオ・コンテンツの入荷状況を前記通知予約情報に基づいた処理を行い、前記クライアント端末装置に通知する手順と、
前記クライアント端末装置が、前記ビデオ・コンテンツの入荷情報を受信し、画面上に該ビデオ・コンテンツの入荷状況および視聴の意志確認を表示し、視聴を肯定するための表示情報を選択することにより、前記通信ネットワークを経由したビデオ・コンテンツの入荷状況を視聴するための視聴要求を前記コンテンツ配信サーバに送信する手順と
を有することを特徴とするビデオ・コンテンツの入荷状況自動通知サービス方法。
【請求項４】
ユーザ嗜好に合う不動産の映像情報自動通知サービス方法であって、
通信ネットワークと、該通信ネットワークに接続されるクライアント端末装置と、不動産の映像情報の新規登録，変更，削除の管理を行い、ユーザの希望する不動産の検索条件を管理し、ユーザへの不動産の映像情報の自動通知を行い、不動産の情報を検索する情報検索自動通知サーバと、不動産の映像情報および／またはビデオ・コンテンツを配信するコンテンツ配信サーバとを有して構成される不動産の映像情報自動通知システムに適用され、
前記クライアント端末装置が、ユーザの希望する不動産の検索条件並びに通知受信のための条件としての通知予約情報を情報検索自動通知サーバに送信する手順と、
前記情報検索自動通知サーバが、前記クライアント端末装置から送信される不動産検索条件および通知予約情報を受信し、ユーザ毎に関連付けられているデータ領域に蓄積する手順と、
前記情報検索自動通知サーバが、前記不動産検索条件をパラメータとして検索を行い、該検索に適合した不動産の映像情報を前記通知予約情報に基づいた処理を行い、前記クライアント端末装置に通知する手順と、
前記クライアント端末装置が、前記不動産の映像情報を受信し、画面上に該不動産の映像情報および視聴の意志確認を表示し、視聴を肯定するための表示情報を選択することにより、前記通信ネットワークを経由した不動産の映像情報を視聴するための視聴要求を前記コンテンツ配信サーバに送信する手順と
を有することを特徴とする不動産の映像情報自動通知サービス方法。
【発明の詳細な説明】
【技術分野】
【０００１】
本発明は、情報通信ネットワークを介する映像広告情報、特に商品ＣＭ映像情報，映画予告編情報，ビデオ・コンテンツ入荷情報および不動産映像情報等の配信サービス方法に関する。より詳細には、ユーザが、映像広告情報自動通知システムを利用して、クライアント端末装置（以下、クライアント端末と略称する）により、自分の嗜好に合う商品ＣＭ映像情報,映画予告編情報,ビデオ・コンテンツ入荷情報, 不動産映像情報などの映像広告情報の希望する受信条件を登録し、条件に合致した場合、映像広告情報の自動通知を受け、配信および視聴を承認することにより映像広告情報の配信，視聴が可能となる映像広告情報自動通知サービス方法に関する。
【背景技術】
【０００２】
従来の放送用広告では、特定の番組コンテンツに特定のＣＭが挿入され、多数の視聴者が同一のＣＭを視聴する形態であった。近年、メタデータを応用し、ユーザの嗜好に合うＣＭをユーザ毎にコンテンツに挿入する方法が検討されており、例えば特開２００３−１３４４３６号公報に開示された「情報提供システム、情報提供装置および方法、情報処理装置および方法、記録媒体、並びにプログラム」がある。
【０００３】
【特許文献１】特開２００３−１３４４３６号公報「情報提供システム、情報提供装置および方法、情報処理装置および方法、記録媒体、並びにプログラム」
【発明の開示】
【発明が解決しようとする課題】
【０００４】
しかしながら、上記に述べた方法は、形式的には従来通り、番組コンテンツにＣＭが挿入されているという形式であり、このような形式では、ユーザが番組コンテンツと独立に映像広告だけを見たり、見たい映像広告だけを取捨選択して視聴するといったことは困難であり、また、映像広告提供者側から見ると、興味を持っているユーザだけに即時性を持って広告を提供することは困難であるという課題がある。
【０００５】
本発明は、上記の問題を解決するためのものであり、ユーザが番組コンテンツと独立に映像広告だけを見たり、見たい映像広告だけを取捨選択して視聴することを可能にすること、および、映像広告提供者が、興味を持っているユーザだけに即時性を持って広告を提供することを可能にする映像広告情報自動通知サービスの実現を目的とする。
【課題を解決するための手段】
【０００６】
本発明においては、上記に述べた課題を解決するために下記の手順あるいは手段を講じるものである。
【０００７】
すなわち、上記目的を達成するために、請求項１記載の本発明は、ユーザ嗜好に合う商品ＣＭ映像情報自動通知サービス方法であって、通信ネットワークと、該通信ネットワークに接続されるクライアント端末装置と、商品ＣＭ映像情報の新規登録，変更，削除の管理を行い、ユーザの嗜好ジャンルおよび／または希望条件を管理し、ユーザへの商品ＣＭ映像情報の自動通知を行い、商品ＣＭ映像情報を検索する情報検索自動通知サーバと、商品ＣＭ映像情報および／またはコンテンツを配信するコンテンツ配信サーバとを有して構成される商品ＣＭ映像情報自動通知システムに適用され、前記クライアント端末装置が、ユーザの嗜好ジャンルおよび／または検索条件並びに通知受信のための条件としての通知予約情報を前記情報検索自動通知サーバに送信する手順と、前記情報検索自動通知サーバが、前記クライアント端末装置から送信される嗜好ジャンルおよび／または検索条件並びに通知予約情報を受信し、ユーザ毎に関連付けられているデータ領域に蓄積する手順と、前記情報検索自動通知サーバが、前記嗜好ジャンルをパラメータとして検索を行い、該検索に適合した商品ＣＭ映像情報を前記通知予約情報に基づいた処理を行い、前記クライアント端末装置に通知する手順と、前記クライアント端末装置が、前記商品ＣＭ映像情報を受信し、画面上に該商品ＣＭ映像情報および視聴の意志確認を表示し、視聴を肯定するための表示情報を選択することにより、前記通信ネットワークを経由した商品ＣＭ映像情報を視聴するための視聴要求を前記コンテンツ配信サーバに送信する手順とを有することを特徴とする。
【０００８】
また、請求項２記載の本発明は、ユーザ嗜好に合う映画予告編情報自動通知サービス方法であって、通信ネットワークと、該通信ネットワークに接続されるクライアント端末装置と、映画予告編情報の新規登録，変更，削除の管理を行い、ユーザの嗜好ジャンルおよび／または希望条件を管理し、ユーザへの映画予告編情報の自動通知を行い、映画予告編情報を検索する情報検索自動通知サーバと、映画予告編情報および／またはコンテンツを配信するコンテンツ配信サーバとを有して構成される映画予告編情報自動通知システムに適用され、前記クライアント端末装置が、ユーザの嗜好ジャンルおよび／または検索条件並びに通知受信のための条件としての通知予約情報を前記情報検索自動通知サーバに送信する手順と、前記情報検索自動通知サーバが、前記クライアント端末装置から送信される嗜好ジャンルおよび／または検索条件並びに通知予約情報を受信し、ユーザ毎に関連付けられているデータ領域に蓄積する手順と、前記情報検索自動通知サーバが、前記嗜好ジャンルをパラメータとして検索を行い、該検索に適合した映画予告編情報を前記通知予約情報に基づいた処理を行い、前記クライアント端末装置に通知する手順と、前記クライアント端末装置が、前記適合した映画予告編情報を受信し、画面上に該映画予告編情報および視聴の意志確認を表示し、視聴を肯定するための表示情報を選択することにより、前記通信ネットワークを経由した映画予告編情報を視聴するための視聴要求を前記コンテンツ配信サーバに送信する手順とを有することを特徴とする。
【０００９】
また、請求項３記載の本発明は、ユーザ嗜好に合うビデオ・コンテンツの入荷状況自動通知サービス方法であって、通信ネットワークと、該通信ネットワークに接続されるクライアント端末装置と、ビデオ・コンテンツの新規登録，変更，削除の管理を行い、ユーザの嗜好ジャンルおよび／または希望条件を管理し、ユーザへのビデオ・コンテンツの入荷情報の自動通知を行い、ビデオ・コンテンツ情報を検索する情報検索自動通知サーバと、ビデオ・コンテンツを配信するコンテンツ配信サーバとを有して構成されるビデオ・コンテンツの入荷状況自動通知システムに適用され、前記クライアント端末装置が、ユーザの嗜好ジャンルおよび／または検索条件並びに通知受信のための条件としての通知予約情報を前記情報検索自動通知サーバに送信する手順と、前記情報検索自動通知サーバが、前記クライアント端末装置から送信される嗜好ジャンルおよび／または検索条件並びに通知予約情報を受信し、ユーザ毎に関連付けられているデータ領域に蓄積する手順と、前記情報検索自動通知サーバが、前記嗜好ジャンルをパラメータとして検索を行い、該検索に適合したビデオ・コンテンツの入荷状況を前記通知予約情報に基づいた処理を行い、前記クライアント端末装置に通知する手順と、前記クライアント端末装置が、前記ビデオ・コンテンツの入荷情報を受信し、画面上に該ビデオ・コンテンツの入荷状況および視聴の意志確認を表示し、視聴を肯定するための表示情報を選択することにより、前記通信ネットワークを経由したビデオ・コンテンツの入荷状況を視聴するための視聴要求を前記コンテンツ配信サーバに送信する手順とを有することを特徴とする。
【００１０】
また、請求項４記載の本発明は、ユーザ嗜好に合う不動産の映像情報自動通知サービス方法であって、通信ネットワークと、該通信ネットワークに接続されるクライアント端末装置と、不動産の映像情報の新規登録，変更，削除の管理を行い、ユーザの希望する不動産の検索条件を管理し、ユーザへの不動産の映像情報の自動通知を行い、不動産の情報を検索する情報検索自動通知サーバと、不動産の映像情報および／またはビデオ・コンテンツを配信するコンテンツ配信サーバとを有して構成される不動産の映像情報自動通知システムに適用され、前記クライアント端末装置が、ユーザの希望する不動産の検索条件並びに通知受信のための条件としての通知予約情報を情報検索自動通知サーバに送信する手順と、前記情報検索自動通知サーバが、前記クライアント端末装置から送信される不動産検索条件および通知予約情報を受信し、ユーザ毎に関連付けられているデータ領域に蓄積する手順と、前記情報検索自動通知サーバが、前記不動産検索条件をパラメータとして検索を行い、該検索に適合した不動産の映像情報を前記通知予約情報に基づいた処理を行い、前記クライアント端末装置に通知する手順と、前記クライアント端末装置が、前記不動産の映像情報を受信し、画面上に該不動産の映像情報および視聴の意志確認を表示し、視聴を肯定するための表示情報を選択することにより、前記通信ネットワークを経由した不動産の映像情報を視聴するための視聴要求を前記コンテンツ配信サーバに送信する手順と
を有することを特徴とする。
【００１１】
これらにより、ユーザが番組コンテンツと独立に映像広告だけを見たり、見たい映像広告だけを取捨選択して視聴することが可能な方法、および、映像広告提供者が、興味を持っているユーザだけに即時性を持って広告を提供することが可能な方法を実現することができる。
【発明の効果】
【００１２】
本発明によれば、次のような利便性の高い優れた効果が得られる。
（１）ユーザに関心のあるジャンルの商品ＣＭ映像，映画予告編，ビデオ・コンテンツ入荷情報および不動産映像情報だけを通知するので、広告提供側から見ると広告効果が高くなる。
（２）ユーザは嗜好に合う商品ＣＭ映像，映画予告編，ビデオ・コンテンツ入荷情報および希望条件に合った不動産映像情報を新規登録し、更新時に自動通知を受けられるので、要望の都度、ネットワークにアクセスして検索する手間が省け、かつ、即時に情報の変更を知ることができる。
【発明を実施するための最良の形態】
【００１３】
以下に、添付の図面を用いて本発明を実施するための形態と動作を説明する。なお、以下の説明は、本発明の理解を助けるものであって、本発明の請求範囲を制限するものではない。
【実施例】
【００１４】
図１は、本発明の実施形態のシステム構成例を示す接続図である。同図は、通信ネットワーク１と、この通信ネットワーク１に接続されるクライアント端末２と、映像広告情報および／または配信コンテンツの新規登録，変更，削除の管理を行い、ユーザの嗜好ジャンルおよび／または希望条件を管理し、ユーザへの映像広告情報の自動通知を行い、映像広告情報を検索する情報検索自動通知サーバ３と、映像広告情報および／または配信コンテンツを配信するコンテンツ配信サーバ４とを有して構成されることを示している。
【００１５】
図２は、本発明の動作例を示すシーケンス・チャートである。同図は、クライアント端末２と、情報検索自動通知サーバ３と、コンテンツ配信サーバ４との間のシーケンスについて示したものである（なお、以下の説明において、ステップｎはこれをＳｎと略称する）。
【００１６】
クライアント端末２が、情報検索自動通知サーバ３に、通知してもらい商品ＣＭ種別，映画予告編，ビデオ・コンテンツ入荷情報のユーザ嗜好ジャンルおよび／または不動産映像情報の希望検索条件、および、通知を受信したい時間帯などの通知受信のための条件を標準的なプレゼンス・プロトコルなどのメッセージに含め、送信する（Ｓ１、Ｓ２）。
【００１７】
ここで、Ｓ１、Ｓ２の希望検索条件登録,ユーザ嗜好ジャンル,自動通知予約情報は個別または同時に送信のどちらでもよく、同時の場合は一つの送信メッセージ中に全ての情報が含まれていても構わない。
【００１８】
情報検索自動通知サーバ３は、映像広告情報および／または配信コンテンツ（以下、単にコンテンツと表記する）の新規登録，変更，削除をデータベース・システムなどで管理しており、上記Ｓ２の後、嗜好ジャンル，希望検索条件および自動通知予約情報を個別または同時に受信し、そのデータをユーザ毎に関連付けられているデータ領域に蓄積し（Ｓ３）、嗜好ジャンル，希望検索条件をパラメータとしてコンテンツのデータベースを検索し（Ｓ４）、検索結果を保持した後、クライアント端末２からの自動通知予約情報に従って、通知時間制御などの自動通知予約処理を行って（Ｓ５）、通知条件が一致した時点でクライアント端末２に映像広告情報を送信する（Ｓ６）。
【００１９】
また、Ｓ３でデータを蓄積した後、コンテンツの新規登録，変更，削除などの状態変化があった場合、その状態変化を契機として、そのコンテンツに関連付けられているユーザを検索し、検索結果としてのユーザに自動通知処理を行った後、通知する。これにより、ユーザは、一度嗜好ジャンルを登録しておけば、登録情報を能動的に変更しない限り、そのジャンルに属するコンテンツの新規登録，変更などがあった場合、自動的に通知されるので、その都度、検索する必要がなく、変更を見逃すこともなくなる。また、配信コンテンツの検索は、種々の条件できめ細かな検索が可能なように、標準的なコンテンツ・メタデータを利用した検索システムを想定している。
【００２０】
図３は、クライアント端末２の動作フローチャートを示し、図４，図５，図６，図７，図８は、クライアント端末２に表示される両面の例を示している。
ユーザは、映像広告情報の自動通知サービスを受けたい場合、Ｗebブラウザ・プログラムなどにより、情報検索自動通知サーバ３にアクセスする（Ｓ２０）。アクセスするＵＲＬなどのアドレスは、提供されるサービス方法の種別によって異なっている。
【００２１】
これにより、ジャンル，検索条件の情報を取得し（Ｓ２１）、画面上に表示する。請求項１で記載した商品ＣＭ映像情報自動通知サービスの場合の表示例が、図４であり、請求項２で記載した映画予告編自動通知サービスの場合の表示例が、図５であり、請求項３で記載したビデオ・コンテンツの入荷状況自動通知サービスが、図６であり、請求項４で記載した不動産の映像情報自動通知サービスの場合の表示例が、図７である。ここで、ユーザは、クライアント端末２の画面上で、自分の希望するジャンルまたは希望条件を入力し、また、希望通知条件を入力し、情報検索自動通知サーバ３に送信する（Ｓ２２，Ｓ１，Ｓ２）。これにより、クライアント端末２は映像広告情報受信待ち状態に入る。
【００２２】
上述においては、情報検索自動通知サーバ３へのアクセス、表示にＷebブラウザを利用することを例に説明したが、専用のプログラムを利用してもよく、また、情報検索自動通知サーバ３から情報を取得する際に、それを契機にして、別のプログラムを起動してもよく、Ｗebブラウザに限定されるものではない。
【００２３】
また、嗜好ジャンルおよび／または検索条件の画面表示例は、階層化されたジャンル種別が一覧で表示される画面で、どこまでの階層を選択しても、その階層のジャンル内で検索されることを想定しているが、階層情報は一覧で表示されてイなくても、ハイパーリンクなどにより、上位階層を選択した時点で、下位の階層が全体に表示されてもよい。
【００２４】
映像広告情報が情報検索自動通知サーバ３から送信されると、クライアント端末２は映像広告情報を受信し（Ｓ３０）、画面に表示するためのプログラムがまだ起動されていない場合は、受信を契機に画面表示のプログラムを起動し（Ｓ３１）、映像広告情報を画面上に自律的にポップアップ表示し、視聴するかどうかの確認をユーザに促す（図８参照，Ｓ３２）。
【００２５】
ユーザは、表示された広告情報画面を見て、視聴したいときは視聴確認のための動作を画面表示の案内に従って行う（Ｓ３３）。ユーザが視聴することを選択した場合は、受信した広告情報に含まれていた視聴コンテンツ・アドレスをパラメータにして、映像ストリーミング視聴を行う視聴プレーヤを起動し、視聴要求を行い（Ｓ３４）、従来と同様のストリーミング視聴の手順に移る。
【００２６】
ユーザが視聴する映像広告情報は、指定したアドレスにより選択した自動通知サービスの種別により、商品ＣＭ映像情報，映画予告編，ビデオ・コンテンツ、および間取りや立地条件などを映像で表示した不動産広告情報になる。
【００２７】
図４は、請求項１で記載した、ユーザ嗜好に合う商品ＣＭ映像情報自動通知サービスのときのクライアント端末２の表示画面例である。
図５は、請求項２で記載した、ユーザ嗜好に合う映画予告編自動通知サービスのときのクライアント端末２の表示画面例である。
【００２８】
図６は、請求項３で記載した、ユーザ嗜好に合うビデオ・コンテンツの入荷状況自動通知サービスのときのクライアント端末２表示画面例である。
図７は、請求項４で記載した、ユーザ希望条件に合う不動産の映像情報自動通知サービスのときのクライアント端末２の表示画面例である。
【００２９】
なお、本発明は、図１から図８を用いて説明した形態に限定されるものではなく、その主旨を逸脱しない範囲において種々の変更・改良が可能である。
【図面の簡単な説明】
【００３０】
【図１】本発明のシステム構成例を示す接続図である。
【図２】本発明の動作例を示すシーケンス・チャートである。
【図３】クライアント端末の動作フローチャートである。
【図４】請求項1に記載のクライアント端末に表示される画面例である。
【図５】請求項2に記載のクライアント端末に表示される画面例である。
【図６】請求項3に記載のクライアント端末に表示される画面例である。
【図７】請求項4に記載のクライアント端末に表示される画面例図である。
【図８】クライアント端末に表示される視聴確認の画面例である。
【符号の説明】
【００３１】
１  通信ネットワーク
２  クライアント端末
３  情報検索自動通知サーバ
４  コンテンツ配信サーバ
５  ユーザ
【図１】
2005208751.tif 000003
【図２】
2005208751.tif 000004
【図３】
2005208751.tif 000005
【図４】
2005208751.tif 000006
【図５】
2005208751.tif 000007
【図６】
2005208751.tif 000008
【図７】
2005208751.tif 000009
【図８】
2005208751.tif 000010